(57)【要約】【課題】部品点数の削減及び組立工程の工数の削減を図ることができるディスク装置を提供する。【解決手段】取付面８ａを有するシャーシ８と、シャーシ８の取付面８ａに取り付けられ、且つ、光ディスク４を駆動するディスクドライブ１２と、を備え、ディスクドライブ１２の外周部には複数の取付部２２ａ〜２２ｄが設けられ、シャーシ８の取付面８ａには、複数の取付部２２ａ〜２２ｄがそれぞれ差し込まれる複数の差込部２６ａ〜２６ｄが設けられ、複数の取付部２２ａ〜２２ｄはそれぞれ、ディスクドライブ１２がシャーシ８の取付面８ａ上で回転した際に、複数の差込部２６ａ〜２６ｄに差し込まれ、ディスクドライブ１２は、複数の取付部２２ａ〜２２ｄがそれぞれ複数の差込部２６ａ〜２６ｄに差し込まれることにより、シャーシ８に対する取付面８ａと略垂直な方向への移動が規制され、且つ、シャーシ８に対する回転が規制される。【選択図】図４
2014235767.tif 000002
【特許請求の範囲】
【請求項１】
ディスクに記録された情報を再生するためのディスク装置であって、
取付面を有するシャーシと、
前記シャーシの前記取付面に取り付けられ、且つ、前記ディスクを駆動するディスクドライブと、を備え、
前記ディスクドライブの外周部には複数の取付部が設けられ、
前記シャーシの前記取付面には、前記複数の取付部がそれぞれ差し込まれる複数の差込部が設けられ、
前記複数の取付部はそれぞれ、前記ディスクドライブが前記シャーシの前記取付面上で回転した際に、前記複数の差込部に差し込まれ、
前記ディスクドライブは、前記複数の取付部がそれぞれ前記複数の差込部に差し込まれることにより、前記シャーシに対する前記取付面と略垂直な方向への移動が規制され、且つ、前記シャーシに対する回転が規制される
ディスク装置。
【請求項２】
前記ディスクドライブには、回転軸部及び受け部の一方が設けられ、
前記シャーシの前記取付面には、前記回転軸部及び前記受け部の他方が設けられ、
前記回転軸部は前記受け部に回転可能に挿入されており、
前記ディスクドライブは、前記回転軸部を中心に前記シャーシの前記取付面上で回転する
請求項１に記載のディスク装置。
【請求項３】
前記シャーシの前記取付面には、前記ディスクドライブを前記シャーシの前記取付面上で位置決めするための突起が設けられ、
前記ディスクドライブが前記シャーシの前記取付面上で回転した際に、前記ディスクドライブは、前記突起が前記ディスクドライブの外周部に接触することにより、前記シャーシの前記取付面上で位置決めされる
請求項１又は２に記載のディスク装置。
【請求項４】
前記ディスクドライブは四角形状に構成され、
前記突起は、前記ディスクドライブの外周部の四辺の各々に対応して複数設けられており、
前記ディスクドライブが前記シャーシの前記取付面上で回転した際に、前記ディスクドライブは、前記複数の突起がそれぞれ前記ディスクドライブの外周部の四辺に接触することにより、前記シャーシの前記取付面上で位置決めされる
請求項３に記載のディスク装置。
【請求項５】
前記複数の取付部のうち少なくとも一つの前記取付部には、弾性を有するフック部が設けられ、
前記複数の差込部のうち少なくとも一つの前記差込部には、前記フック部が引っ掛かり可能な凹部が設けられており、
前記ディスクドライブは、前記フック部が前記凹部に引っ掛かることにより、前記シャーシに対する回転が規制される
請求項１〜４のいずれか１項に記載のディスク装置。
【請求項６】
前記複数の取付部のうち少なくとも一つの前記取付部は、楔形状に構成され、
前記複数の差込部のうち少なくとも一つの前記差込部は、前記取付部を圧入可能に構成されており、
前記ディスクドライブは、前記取付部が前記差込部に圧入されることにより、前記シャーシに対する回転が規制される
請求項１〜４のいずれか１項に記載のディスク装置。
【請求項７】
前記ディスクドライブは四角形状に構成されており、
前記複数の取付部は、前記ディスクドライブの外周部の四隅にそれぞれ設けられている
請求項１〜６のいずれか１項に記載のディスク装置。
【発明の詳細な説明】
【技術分野】
【０００１】
本発明は、ディスクに記録された情報を再生するためのディスク装置に関する。
【背景技術】
【０００２】
例えば、ディスクに記録された情報を再生するためのディスク装置が知られている（例えば、特許文献１参照）。このディスク装置は、シャーシと、シャーシに取り付けられたディスクドライブと、を備えている。ディスクドライブは、ディスクを駆動するためのものである。従来のディスク装置では、ディスクドライブは、複数のネジによってシャーシに取り付けられている。
【先行技術文献】
【特許文献】
【０００３】
【特許文献１】特開２０００−１４９３６８号公報
【発明の概要】
【発明が解決しようとする課題】
【０００４】
しかしながら、上述した従来のディスク装置では、次のような課題が生じる。第１に、ディスクドライブをシャーシに取り付けるための複数のネジが必要であるので、これら複数のネジの分だけディスク装置の部品点数が増大するという課題が生じる。第２に、ディスク装置の組立工程において、ディスクドライブをシャーシに取り付ける際に複数のネジをそれぞれ締め付ける作業が必要であるので、ディスク装置の組立工程の工数が増大するという課題が生じる。
【０００５】
本発明は、上述した課題を解決しようとするものであり、その目的は、部品点数の削減及び組立工程の工数の削減を図ることができるディスク装置を提供することである。
【課題を解決するための手段】
【０００６】
上記目的を達成するために、本発明の一態様に係るディスク装置は、ディスクに記録された情報を再生するためのディスク装置であって、取付面を有するシャーシと、前記シャーシの前記取付面に取り付けられ、且つ、前記ディスクを駆動するディスクドライブと、を備え、前記ディスクドライブの外周部には複数の取付部が設けられ、前記シャーシの前記取付面には、前記複数の取付部がそれぞれ差し込まれる複数の差込部が設けられ、前記複数の取付部はそれぞれ、前記ディスクドライブが前記シャーシの前記取付面上で回転した際に、前記複数の差込部に差し込まれ、前記ディスクドライブは、前記複数の取付部がそれぞれ前記複数の差込部に差し込まれることにより、前記シャーシに対する前記取付面と略垂直な方向への移動が規制され、且つ、前記シャーシに対する回転が規制される。
【０００７】
本態様によれば、ディスクドライブがシャーシの取付面上で回転した際に、複数の取付部はそれぞれ複数の差込部に差し込まれる。これにより、ディスクドライブは、シャーシに対する取付面と略垂直な方向への移動が規制され、且つ、シャーシに対する回転が規制される。従って、例えばネジ等を用いることなく、ディスクドライブをシャーシの取付面に取り付けることができる。その結果、ディスク装置の部品点数を削減することができ、且つ、ディスク装置の組立工程の工数を削減することができる。
【０００８】
例えば、本発明の一態様に係るディスク装置において、前記ディスクドライブには、回転軸部及び受け部の一方が設けられ、前記シャーシの前記取付面には、前記回転軸部及び前記受け部の他方が設けられ、前記回転軸部は前記受け部に回転可能に挿入されており、前記ディスクドライブは、前記回転軸部を中心に前記シャーシの前記取付面上で回転するように構成してもよい。
【０００９】
本態様によれば、ディスクドライブは、回転軸部を中心にシャーシの取付面上で回転するので、ディスクドライブをスムーズに回転させることができる。
【００１０】
例えば、本発明の一態様に係るディスク装置において、前記シャーシの前記取付面には、前記ディスクドライブを前記シャーシの前記取付面上で位置決めするための突起が設けられ、前記ディスクドライブが前記シャーシの前記取付面上で回転した際に、前記ディスクドライブは、前記突起が前記ディスクドライブの外周部に接触することにより、前記シャーシの前記取付面上で位置決めされるように構成してもよい。
【００１１】
本態様によれば、シャーシの取付面には突起が設けられているので、突起がディスクドライブの外周部に接触することにより、ディスクドライブをシャーシの取付面上で位置決めすることができる。
【００１２】
例えば、本発明の一態様に係るディスク装置において、前記ディスクドライブは四角形状に構成され、前記突起は、前記ディスクドライブの外周部の四辺の各々に対応して複数設けられており、前記ディスクドライブが前記シャーシの前記取付面上で回転した際に、前記ディスクドライブは、前記複数の突起がそれぞれ前記ディスクドライブの外周部の四辺に接触することにより、前記シャーシの前記取付面上で位置決めされるように構成してもよい。
【００１３】
本態様によれば、シャーシの取付面には複数の突起が設けられているので、複数の突起がそれぞれディスクドライブの外周部の四辺に接触することにより、ディスクドライブをシャーシの取付面上でより精度良く位置決めすることができる。
【００１４】
例えば、本発明の一態様に係るディスク装置において、前記複数の取付部のうち少なくとも一つの前記取付部には、弾性を有するフック部が設けられ、前記複数の差込部のうち少なくとも一つの前記差込部には、前記フック部が引っ掛かり可能な凹部が設けられており、前記ディスクドライブは、前記フック部が前記凹部に引っ掛かることにより、前記シャーシに対する回転が規制されるように構成してもよい。
【００１５】
本態様によれば、取付部にはフック部が設けられ、差込部には凹部が設けられているので、フック部が凹部に引っ掛かることにより、ディスクドライブのシャーシに対する回転を規制することができる。
【００１６】
例えば、本発明の一態様に係るディスク装置において、前記複数の取付部のうち少なくとも一つの前記取付部は、楔形状に構成され、前記複数の差込部のうち少なくとも一つの前記差込部は、前記取付部を圧入可能に構成されており、前記ディスクドライブは、前記取付部が前記差込部に圧入されることにより、前記シャーシに対する回転が規制されるように構成してもよい。
【００１７】
本態様によれば、取付部は楔形状に構成されているので、取付部が差込部に圧入されることにより、ディスクドライブのシャーシに対する回転を規制することができる。
【００１８】
例えば、本発明の一態様に係るディスク装置において、前記ディスクドライブは四角形状に構成されており、前記複数の取付部は、前記ディスクドライブの外周部の四隅にそれぞれ設けられているように構成してもよい。
【００１９】
本態様によれば、複数の取付部は、ディスクドライブの外周部の四隅にそれぞれ設けられているので、ディスクドライブをシャーシの取付面により安定して取り付けることができる。
【発明の効果】
【００２０】
本発明の一態様に係るディスク装置によれば、ディスク装置の部品点数の削減及びディスク装置の組立工程の工数の削減を図ることができる。
【図面の簡単な説明】
【００２１】
【図１】実施の形態１に係るディスク装置の外観を示す斜視図である。
【図２】実施の形態１に係るディスク装置の一部を分解した状態を示す分解斜視図である。
【図３】ディスクドライブ及びシャーシを底面側から見た状態を示す要部断面斜視図である。
【図４】ディスクドライブをシャーシの取付面に取り付ける前の状態を示す平面図である。
【図５】ディスクドライブをシャーシの取付面に取り付けた状態を示す平面図である。
【図６】フック部を有する取付部が差込部に差し込まれる前の状態を示す要部斜視図である。
【図７】フック部を有する取付部が差込部に差し込まれた状態を示す要部斜視図である。
【図８】図７中のＡ−Ａ線により切断した取付部及び差込部を示す要部断面図である。
【図９】フック部を有しない取付部が差込部に差し込まれる前の状態を示す要部斜視図である。
【図１０】フック部を有しない取付部が差込部に差し込まれた状態を示す要部斜視図である。
【図１１】実施の形態２に係るディスク装置の取付部が差込部に差し込まれる前の状態を示す要部斜視図である。
【発明を実施するための形態】
【００２２】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２３】
（実施の形態１）
［ディスク装置の全体構成］
まず、図１及び図２を参照しながら、実施の形態１に係るディスク装置の全体構成について説明する。図１は、実施の形態１に係るディスク装置の外観を示す斜視図である。図２は、実施の形態１に係るディスク装置の一部を分解した状態を示す分解斜視図である。
【００２４】
図１及び図２に示すように、ディスク装置２は、例えば、光ディスク４（ディスクを構成する）に記録された情報の再生及び光ディスク４への情報の記録を行うためのブルーレイディスク（ＢＤ：Ｂｌｕ−ｒａｙ（登録商標）  Ｄｉｓｃ）レコーダ等である。光ディスク４は、例えば、ブルーレイディスク、デジタル多用途ディスク（ＤＶＤ：Ｄｉｇｉｔａｌ  Ｖｅｒｓａｔｉｌｅ  Ｄｉｓｃ）又はコンパクトディスク（ＣＤ：Ｃｏｍｐａｃｔ  Ｄｉｓｃ）である。
【００２５】
ディスク装置２は、筐体６を備えている。筐体６は、シャーシ８及びカバー１０が相互に組み合わされることによって、ケース状に構成されている。シャーシ８及びカバー１０はそれぞれ、例えばＳＥＣＣ（Ｓｔｅｅｌ  Ｅｌｅｃｔｒｉｃａｌｌｙ  Ｃｈｒｏｍａｔｅ  Ｃｏａｔｅｄ：電気亜鉛メッキ鋼）等の板金で形成されている。
【００２６】
図２に示すように、上述した筐体６の内部には、光ディスク４を駆動するためのディスクドライブ１２が収納されている。ディスクドライブ１２は、平面視で四角形状に構成されている。ディスクドライブ１２は、ディスクトレイ１４と、ディスクトレイ１４の下側に配置されたローダユニット１６とで構成されている。ディスクトレイ１４は、光ディスク４を載置するためのものであり、ローダユニット１６に対してスライド移動可能に取り付けられている。ローダユニット１６には、光ディスク４を回転させるためのターンテーブル（図示せず）及び光ディスク４に記録された情報の読み出し等を行うための光ピックアップ（図示せず）等が設けられている。ディスクドライブ１２は、後述する取付構造によって、シャーシ８の取付面８ａ（すなわち、シャーシ８の上面）に取り付けられている。
【００２７】
なお、筐体６の内部には、上述したディスクドライブ１２の他に、例えば配線基板等の複数の部品が収納されているが、説明の都合上、図２ではそれらの図示を省略している。
【００２８】
［ディスクドライブの取付構造］
次に、図３〜図１０をも参照しながら、本実施の形態のディスク装置２の特徴的な構成である、ディスクドライブ１２をシャーシ８の取付面８ａに取り付けるための取付構造について説明する。図３は、ディスクドライブ及びシャーシを底面側から見た状態を示す要部断面斜視図である。図４は、ディスクドライブをシャーシの取付面に取り付ける前の状態を示す平面図である。図５は、ディスクドライブをシャーシの取付面に取り付けた状態を示す平面図である。図６は、フック部を有する取付部が差込部に差し込まれる前の状態を示す要部斜視図である。図７は、フック部を有する取付部が差込部に差し込まれた状態を示す要部斜視図である。図８は、図７中のＡ−Ａ線により切断した取付部及び差込部を示す要部断面図である。図９は、フック部を有しない取付部が差込部に差し込まれる前の状態を示す要部斜視図である。図１０は、フック部を有しない取付部が差込部に差し込まれた状態を示す要部斜視図である。
【００２９】
図３に示すように、ディスクドライブ１２の底面１２ａには回転軸部１８が設けられている。回転軸部１８は円柱状に構成され、ディスクドライブ１２の底面１２ａと略垂直な方向に延びている。シャーシ８には受け部２０が設けられている。受け部２０は、円形状の貫通孔であり、例えば板金のバーリング加工によって形成される。受け部２０には、回転軸部１８が回転可能に挿入される。回転軸部１８が受け部２０に挿入された状態では、図４及び図５に示すように、ディスクドライブ１２は、回転軸部１８を中心にシャーシ８の取付面８ａ上で回転することができる。
【００３０】
図４に示すように、ディスクドライブ１２には、薄板状に構成された複数の取付部２２ａ〜２２ｄが設けられている。複数の取付部２２ａ〜２２ｄはそれぞれ、ディスクドライブ１２の外周部の四隅に設けられている。複数の取付部２２ａ〜２２ｄの各々は、ディスクドライブ１２の外側に向けて、ディスクドライブ１２の底面１２ａと略平行に延びている。図３に示すように、複数の取付部２２ａ〜２２ｄの各々の底面は、ディスクドライブ１２の底面１２ａと同一面上である。なお、複数の取付部２２ａ〜２２ｄの各々は、例えば樹脂で形成されている。
【００３１】
図４及び図６に示すように、複数の取付部２２ａ〜２２ｄのうち対角状に配置された一対の取付部２２ａ，２２ｃの各々には、弾性を有するフック部２４が設けられている。フック部２４は、水平方向に（すなわち、ディスクドライブ１２の底面１２ａと略平行に）延びている。フック部２４の先端部２４ａは、上方に向けて延びている。フック部２４は、その弾性復元力によってＺ軸方向に撓むことが可能である。なお、図４及び図９に示すように、複数の取付部２２ａ〜２２ｄのうち対角状に配置された一対の取付部２２ｂ，２２ｄの各々には、上述したフック部２４は設けられていない。
【００３２】
図４に示すように、シャーシ８の取付面８ａには、複数の差込部２６ａ〜２６ｄが設けられている。図６及び図９に示すように、複数の差込部２６ａ〜２６ｄはそれぞれ、上述した複数の取付部２２ａ〜２２ｄに対応して配置されている。複数の差込部２６ａ〜２６ｄの各々は、シャーシ８の取付面８ａからディスクドライブ１２側に切り起こされており、例えば板金の切り絞り加工によって形成される。複数の差込部２６ａ〜２６ｄの各々は、シャーシ８の取付面８ａと略平行に延びている。複数の差込部２６ａ〜２６ｄの各々の裏面側にはそれぞれ、複数の取付部２２ａ〜２２ｄが差し込まれる空間２８が形成されている。図８に示すように、この空間２８の取付面８ａからの高さＨは、複数の取付部２２ａ〜２２ｄの各々の厚みＤよりも僅かに（例えば０〜１ｍｍだけ）大きい又は厚みＤと同じ大きさである。
【００３３】
図４及び図６に示すように、複数の差込部２６ａ〜２６ｄのうち対角状に配置された一対の差込部２６ａ，２６ｃの各々には、凹部３０が設けられている。凹部３０は、例えば一対の差込部２６ａ，２６ｃの各々を貫通する貫通孔である。凹部３０には、上述したフック部２４の先端部２４ａが引っ掛かり可能である。なお、図４及び図９に示すように、複数の差込部２６ａ〜２６ｄのうち対角状に配置された一対の差込部２６ｂ，２６ｄの各々には、上述した凹部３０は設けられていない。
【００３４】
図４及び図５に示すように、シャーシ８の取付面８ａには、複数の突起３２ａ〜３２ｄが設けられている。複数の突起３２ａ〜３２ｄはそれぞれ、ディスクドライブ１２をシャーシ８の取付面８ａ上で位置決めするためのものである。複数の突起３２ａ〜３２ｄの各々は、例えば板金のハーフパンチ加工によって形成される。複数の突起３２ａ〜３２ｄはそれぞれ、ディスクドライブ１２の外周部の四辺に対応して配置されている。一対の突起３２ａ，３２ｃはそれぞれ、ディスクドライブ１２の外周部の長辺１２ｂに対応して配置されている。すなわち、一対の突起３２ａ，３２ｃのＸ軸方向における配置間隔ｄ１は、ディスクドライブ１２の外周部の短辺１２ｃの長さＬ１よりも僅かに（例えば０〜１ｍｍだけ）大きい又は長さＬ１と同じ大きさである。一対の突起３２ｂ，３２ｄはそれぞれ、ディスクドライブ１２の外周部の短辺１２ｃに対応して配置されている。すなわち、一対の突起３２ｂ，３２ｄのＹ軸方向における配置間隔ｄ２は、ディスクドライブ１２の外周部の長辺１２ｂの長さＬ２よりも僅かに（例えば０〜１ｍｍだけ）大きい又は長さＬ２と同じ大きさである。
【００３５】
［ディスクドライブの取り付け手順］
次に、図４〜図１０を参照しながら、上述した取付構造によりディスクドライブ１２をシャーシ８の取付面８ａに取り付ける手順について説明する。
【００３６】
まず、図４に示すように、回転軸部１８が受け部２０に挿入されるようにして、ディスクドライブ１２をシャーシ８の取付面８ａ上に載置する。このとき、図４、図６及び図９に示すように、複数の取付部２２ａ〜２２ｄはそれぞれ、複数の差込部２６ａ〜２６ｄの外部に配置されている。
【００３７】
その後、ディスクドライブ１２をシャーシ８の取付面８ａ上で図４中の矢印Ｐで示す方向に回転させる。このようにディスクドライブ１２を回転させることによって、図５に示すように、一対の突起３２ａ，３２ｃの各々は、ディスクドライブ１２の外周部の長辺１２ｂに接触する。これにより、ディスクドライブ１２は、シャーシ８の取付面８ａ上でＸ軸方向に位置決めされる。さらに、一対の突起３２ｂ，３２ｄの各々は、ディスクドライブ１２の外周部の短辺１２ｃに接触する。これにより、ディスクドライブ１２は、シャーシ８の取付面８ａ上でＹ軸方向に位置決めされる。
【００３８】
なお、一対の突起３２ａ，３２ｃのＸ軸方向における配置間隔ｄ１を調整することにより、ディスクドライブ１２のＸ軸方向におけるガタツキを調整することができる。また、一対の突起３２ｂ，３２ｄのＹ軸方向における配置間隔ｄ２を調整することにより、ディスクドライブ１２のＹ軸方向におけるガタツキを調整することができる。さらに、回転軸部１８の外周面と受け部２０の内周面との間の隙間を調整することにより、ディスクドライブ１２のＸ軸方向及びＹ軸方向におけるガタツキを調整することができる。
【００３９】
さらに、図５、図７及び図１０に示すように、複数の取付部２２ａ〜２２ｄはそれぞれ、複数の差込部２６ａ〜２６ｄに差し込まれる。これにより、複数の取付部２２ａ〜２２ｄの各々の上面はそれぞれ、複数の差込部２６ａ〜２６ｄによってＺ軸方向に押さえ付けられるので、ディスクドライブ１２は、シャーシ８に対するＺ軸方向（すなわち、取付面８ａと略垂直な方向）への移動が規制される。なお、空間２８の取付面８ａからの高さＨを調整することにより、ディスクドライブ１２のＺ軸方向におけるガタツキを調整することができる。
【００４０】
ここで、一対の取付部２２ａ，２２ｃがそれぞれ一対の差込部２６ａ，２６ｃに差し込まれ始めた際には、フック部２４の先端部２４ａが一対の差込部２６ａ，２６ｃの各々の裏面によってＺ軸方向に押し下げられることにより、フック部２４は、取付面８ａ側に撓むようになる。一対の取付部２２ａ，２２ｃがそれぞれ一対の差込部２６ａ，２６ｃにさらに差し込まれた際には、フック部２４の先端部２４ａが一対の差込部２６ａ，２６ｃの各々の凹部３０に逃がされることにより、フック部２４は、その弾性復元力によって元の位置に復帰する。その結果、一対の取付部２２ａ，２２ｃの各々のフック部２４の先端部２４ａはそれぞれ、一対の差込部２６ａ，２６ｃの各々の凹部３０に引っ掛かる。これにより、一対の取付部２２ａ，２２ｃはそれぞれ一対の差込部２６ａ，２６ｃに対して固定されるので、ディスクドライブ１２は、シャーシ８に対する回転が規制される。
【００４１】
以上のようにして、ディスクドライブ１２は、上述した取付構造によりシャーシ８の取付面８ａ上に取り付けられる。なお、ディスクドライブ１２をシャーシ８の取付面８ａ上から取り外す際には、一対の取付部２２ａ，２２ｃの各々のフック部２４を工具等で押し下げながら、ディスクドライブ１２をシャーシ８の取付面８ａ上で図５中の矢印Ｑで示す方向に回転させればよい。
【００４２】
［効果］
次に、本実施の形態のディスク装置２により得られる効果について説明する。上述したように、ディスクドライブ１２は、一対の取付部２２ａ，２２ｃがそれぞれ一対の差込部２６ａ，２６ｃに差し込まれることにより、シャーシ８に対するＺ軸方向への移動が規制され、且つ、シャーシ８に対する回転が規制される。これにより、例えばネジ等を用いることなく、ディスクドライブ１２をシャーシ８の取付面８ａに取り付けることができる。その結果、ディスク装置２の部品点数を削減することができ、且つ、ディスク装置２の組立工程の工数を削減することができる。
【００４３】
（実施の形態２）
次に、図１１を参照しながら、実施の形態２に係るディスク装置について説明する。図１１は、実施の形態２に係るディスク装置の取付部が差込部に差し込まれる前の状態を示す要部斜視図である。なお、本実施の形態において、上記実施の形態１と同一の構成要素には同一の符号を付して、その説明を省略する。
【００４４】
図１１に示すように、本実施の形態のディスク装置のディスクドライブ１２Ａでは、一対の取付部２２Ａａ，２２Ａｃの各々は、楔形状に構成されている。すなわち、一対の取付部２２Ａａ，２２Ａｃの厚みＤ’はそれぞれ、一対の差込部２６ａ，２６ｃに向けて漸減している。なお、一対の取付部２２Ａａ，２２Ａｃの各々には、上記実施の形態１で説明したフック部２４は設けられていない。また、一対の差込部２６ａ，２６ｃの各々には、上記実施の形態１で説明した凹部３０は設けられていない。
【００４５】
これにより、ディスクドライブ１２Ａをシャーシ８の取付面８ａ上で回転させた際に、一対の取付部２２Ａａ，２２Ａｃはそれぞれ、一対の差込部２６ａ，２６ｃに圧入される。その結果、ディスクドライブ１２Ａは、シャーシ８に対する回転が規制される。
【００４６】
以上、本発明の実施の形態に係るディスク装置について説明したが、本発明は、これらの実施の形態に限定されるものではない。例えば、上記各実施の形態を組み合わせてもよい。
【００４７】
上記各実施の形態では、ディスク装置は、ブルーレイディスクレコーダであるが、これに限定されず、例えばブルーレイディスクプレーヤ、ＤＶＤレコーダ、ＤＶＤプレーヤ又はＣＤプレーヤ等でもよい。また、ディスクは、光ディスクの他に、例えばハードディスク等の磁気ディスクでもよい。
【００４８】
上記各実施の形態では、複数の取付部のうち一対の取付部にのみフック部を設けたが、全ての取付部にフック部を設けることもできる。あるいは、複数の取付部のうち一つの取付部にのみフック部を設けることもできる。
【００４９】
上記各実施の形態では、ディスクドライブに回転軸部を設け、シャーシに受け部を設けたが、これとは反対に、ディスクドライブに受け部を設け、シャーシに回転軸部を設けてもよい。
【００５０】
上記各実施の形態では、シャーシに複数の突起を設けたが、突起を１個のみ設けることもできる。なお、上記各実施の形態のように、シャーシに複数の突起を設けた場合には、回転軸部及び受け部をそれぞれ省略してもよい。
【００５１】
上記各実施の形態では、ディスクドライブの外周部の四隅にそれぞれ取付部を設けたが、ディスクドライブの外周部の四隅のうち対角の二隅にそれぞれ設けることもできる。
【００５２】
上記各実施の形態では、差込部をシャーシの取付面からディスクドライブ側に切り起こすことにより構成したが、差込部を樹脂製の別パーツで構成し、差込部をシャーシの取付面に取り付けることもできる。
【産業上の利用可能性】
【００５３】
本発明は、例えばディスクに記録された情報を再生するためのディスク装置として適用することができる。
【符号の説明】
【００５４】
２  ディスク装置
４  光ディスク
６  筐体
８  シャーシ
１０  カバー
１２，１２Ａ  ディスクドライブ
１２ａ  底面
１２ｂ  長辺
１２ｃ  短辺
１４  ディスクトレイ
１６  ローダユニット
１８  回転軸部
２０  受け部
２２ａ，２２ｂ，２２ｃ，２２ｄ，２２Ａａ，２２Ａｃ  取付部
２４  フック部
２４ａ  先端部
２６ａ，２６ｂ，２６ｃ，２６ｄ  差込部
２８  空間
３０  凹部
３２ａ，３２ｂ，３２ｃ，３２ｄ  突起
【図１】
2014235767.tif 000003
【図２】
2014235767.tif 000004
【図３】
2014235767.tif 000005
【図４】
2014235767.tif 000006
【図５】
2014235767.tif 000007
【図６】
2014235767.tif 000008
【図７】
2014235767.tif 000009
【図８】
2014235767.tif 000010
【図９】
2014235767.tif 000011
【図１０】
2014235767.tif 000012
【図１１】
2014235767.tif 000013